(57)【要約】【課題】検出される環境光に応じてバックライト等の光源の輝度をより好適に調整する。【解決手段】表示装置（１００）は、有効表示領域（Ｖ）がＮ（但し、Ｎは２以上の整数）個の分割表示領域（Ｖ１〜Ｖ４）に分割された表示パネル（３０）と、Ｎ個の光源（１３）と、Ｎ個の受光手段（６１）と、Ｎ個の受光手段の夫々の受光結果を、複数の輝度範囲のうちのいずれかの輝度範囲に分類する分類手段（４０１）と、複数の輝度範囲の夫々に分類される受光結果を出力する受光手段の数が、複数の輝度範囲の夫々に対して規定されている調光条件を満たすか否かを、複数の輝度範囲毎に判定する判定手段（４０３）と、調光条件を満たすと判定された輝度範囲に分類される受光結果を出力する受光手段に対応する分割表示領域に対して光源光を照射する光源の輝度を調整する調整手段（４０４）とを備える。【選択図】図４
2010101991.tif 000002
【特許請求の範囲】
【請求項１】
有効表示領域がＮ（但し、Ｎは２以上の整数）個の分割表示領域に分割された表示パネルと、
前記Ｎ個の分割表示領域の夫々に光源光を照射する少なくともＮ個の光源と、
前記Ｎ個の分割表示領域の夫々に照射される環境光を受光する少なくともＮ個の受光手段と、
前記Ｎ個の分割表示領域の夫々の受光手段が出力する受光結果に応じて、前記受光手段が出力する受光結果の夫々を、複数の輝度範囲のうちのいずれかの輝度範囲に分類する分類手段と、
前記複数の輝度範囲の夫々に分類される受光結果を出力する前記受光手段の数が、前記複数の輝度範囲の夫々に対して規定されている調光条件を満たすか否かを、前記複数の輝度範囲毎に判定する判定手段と、
前記調光条件を満たすと判定された前記輝度範囲に分類される前記受光結果を出力する前記受光手段に対応する前記分割表示領域に対して前記光源光を照射する前記光源の輝度を調整する調整手段と
を備えることを特徴とする表示装置。
【請求項２】
Ｎ個の前記受光手段は、前記Ｎ個の分割表示領域に夫々対応しており、
Ｎ個の前記光源は、前記Ｎ個の分割表示領域に夫々対応しており、
前記複数の輝度範囲のうち最小輝度範囲及び最大輝度範囲の夫々における調光条件は、前記複数の輝度範囲のうち前記最小輝度範囲及び前記最大輝度範囲以外の他の輝度範囲における調光条件とは異なることを特徴とする請求項１に記載の表示装置。
【請求項３】
前記最大輝度範囲における調光条件は、前記最大輝度範囲に分類される受光結果を出力する前記受光手段の数が第１の値となる条件であり、
前記他の輝度範囲における調光条件は、前記他の輝度範囲に分類される受光結果を出力する前記受光手段の数が前記第１の値よりも小さい第２の値となる条件であることを特徴とする請求項２に記載の表示装置。
【請求項４】
前記最小輝度範囲における調光条件は、前記最小輝度範囲に分類される受光結果を出力する前記受光手段の数が第３の値となる条件であり、
前記他の輝度範囲における調光条件は、前記他の輝度範囲に分類される受光結果を出力する前記受光手段の数が前記第３の値よりも小さい第２の値となる条件であることを特徴とする請求項２に記載の表示装置。
【請求項５】
前記前記最大輝度範囲における調光条件は、前記最大輝度範囲に分類される受光結果を出力する前記受光手段の数が第１の値となる条件であり、
前記最小輝度範囲における調光条件は、前記最小輝度範囲に分類される受光結果を出力する前記受光手段の数が前記第１の値よりも小さい第３の値となる条件であり、
前記他の輝度範囲における調光条件は、前記他の輝度範囲に分類される受光結果を出力する前記受光手段の数が前記第３の値よりも小さい第２の値となる条件であることを特徴とする請求項２に記載の表示装置。
【請求項６】
前記最大輝度範囲における調光条件は、前記最大輝度範囲に分類される受光結果を出力する前記受光手段の数がＮとなる条件であることを特徴とする請求項２から５のいずれか一項に記載の表示装置。
【請求項７】
前記調整手段は、前記調光条件を満たすと判定された前記最大輝度範囲に分類される前記受光結果を出力する前記受光手段に対応する前記分割表示領域に表示される画像のγカーブを更に調整することを特徴とする請求項２から６のいずれか一項に記載の表示装置。
【請求項８】
前記調整手段は、前記調光条件を満たすと判定された前記最大輝度範囲に分類される前記受光結果を出力する前記受光手段に対応する前記分割表示領域に表示される画像の表示階調数を更に調整することを特徴とする請求項２から７のいずれか一項に記載の表示装置。
【請求項９】
前記最大輝度範囲は、２００００ｌｘ以上の輝度範囲であることを特徴とする請求項２から８のいずれか一項に記載の表示装置。
【請求項１０】
前記最小輝度範囲は、２００ｌｘ未満の輝度範囲であることを特徴とする請求項２から９のいずれか一項に記載の表示装置。
【請求項１１】
前記表示パネルは、第１基板及び前記第１基板に対向する第２基板を有し、
前記受光手段は、前記第１基板の前記第２基板に対向する側に形成され、
前記光源は、前記第１基板の前記第２基板に対向しない側から前記光源光を照射することを特徴とする請求項１から１０のいずれか一項に記載の表示装置。
【請求項１２】
請求項１から１１のいずれか一項に記載の表示装置を備えることを特徴とする電子機器。
【発明の詳細な説明】
【技術分野】
【０００１】
本発明は、例えば光センサ等を備える液晶装置等の表示装置、及びこのような表示装置を備える電子機器の技術分野に関する。
【背景技術】
【０００２】
表示装置の一例たる液晶装置では、例えば液晶パネルを構成する一対の基板間において液晶を所定の配向状態としておき、例えば画像表示領域に形成された画素部毎に、液晶に所定の電圧を印加することにより、液晶における配向や秩序を変化させて、光を変調することにより階調表示を行う。
【０００３】
このような液晶装置における視認性は、周囲の明るさ（例えば、環境光の輝度等）に応じて変化することが知られている。例えば、液晶装置の周囲が相対的に明るい場合（例えば、環境光が相対的に強い場合）には、液晶装置の輝度（具体的には、バックライトからの光源光の輝度）を相対的に明るくした方が、視認性が向上する。他方で、例えば、液晶装置の周囲が相対的に暗い場合（例えば、環境光が相対的に弱い場合）には、液晶装置の輝度を必要以上に明るくしなくとも、視認性が悪化することはない。このような構成を実現するために、特許文献１及び２には、環境光が照射されるフォトダイオード（つまり、光センサ）の検出結果に応じて、バックライトの光量を制御する液晶装置が開示されている。
【０００４】
【特許文献１】特開２０００−１３１１３７号公報
【特許文献２】特開２００８−９６９２８号公報
【発明の開示】
【発明が解決しようとする課題】
【０００５】
他方で、このような光センサの検出結果に応じてバックライトからの光源光の輝度を制御する場合には、検出結果に応じて光源光の輝度をどのように制御するかが重要になってくる。例えば、携帯電話やデジタルカメラで使用される中型・小型液晶装置では、屋内と屋外とで又は昼と夜とで周囲環境の明るさの変化が大きいことが想定されるため、検出結果に応じて光源光を適切に制御することが望まれる。また、表示領域上の局所的な明るさの変化（例えば、表示領域の一部にのみ西日が照射される場合の明るさの変化）が生ずる場合も想定される。このような場合には、従来のように表示領域全体の輝度を一律に制御したとしても、見易さの向上を図ることができない場合がある。
【０００６】
本発明は、例えば上述した従来の問題点に鑑みなされたものであり、例えば検出される環境光に応じてバックライト等の光源の輝度をより好適に調整する表示装置及び電子機器を提供することを課題とする。
【課題を解決するための手段】
【０００７】
（表示装置）
上記課題を解決するために、本発明の表示装置は、有効表示領域がＮ（但し、Ｎは２以上の整数）個の分割表示領域に分割された表示パネルと、前記Ｎ個の分割表示領域の夫々に光源光を照射する少なくともＮ個の光源と、前記Ｎ個の分割表示領域に夫々に照射される環境光を受光するＮ個の受光手段と、前記Ｎ個の分割表示領域の夫々の受光手段が出力する受光結果に応じて、前記受光手段が出力する受光結果の夫々を、複数の輝度範囲のうちのいずれかの輝度範囲に分類する分類手段と、前記複数の輝度範囲の夫々に分類される前記受光結果を出力する前記受光手段の数が、前記複数の輝度範囲の夫々に対して規定されている調光条件を満たすか否かを、前記複数の輝度範囲毎に判定する判定手段と、前記調光条件を満たすと判定された前記輝度範囲に分類される前記受光結果を出力する前記受光手段に対応する前記分割表示領域に対して前記光源光を照射する前記光源の輝度を調整する調整手段とを備える。
【０００８】
本発明の表示装置によれば、光源から出射する光は、例えば第１基板の側から第２基板の側へ向かって伝搬するように表示パネルを透過した後にユーザに視認される。これにより、所望の画像を表示することができる。このような表示装置の一例として、第１基板と第２基板との間に電気光学物質（例えば、液晶等）が挟持されている電気光学装置が一例としてあげられる。このような電気光学装置では、画像に応じた電界が電気光学物質に印加されることで、画像表示が行われる。
【０００９】
本発明に係る表示装置では特に、表示パネルの有効表示領域（つまり、画像表示に寄与する有効表示領域）は、Ｎ個の分割表示領域に分割されている。言い換えれば、表示パネルの有効表示領域は、Ｎ個の分割表示領域から構成されている。ここで、有効表示領域の分割の態様としては、例えば１つの矩形の有効表示領域を、夫々が概ね等しい面積を有するＮ個の矩形の分割表示領域に分割する態様が一例としてあげられる。但し、有効表示領域がＮ個の分割表示領域に分割される限りは、有効表示領域の分割の態様は任意の態様で行われてもよい。
【００１０】
また、有効表示領域の分割に対応して、表示パネルに対して光源光を照射する光源も、Ｎ個の分割表示領域に対応するようにＮ個（或いは、Ｎ個以上）設けられていることが好ましい。つまり、有効表示領域が第１の分割表示領域から第Ｎの分割表示領域に分割されている場合には、第１の分割表示領域に対して光源光を照射する第１の光源と、第２の分割表示領域に対して光源光を照射する第２の光源と、・・・、第Ｎの分割表示領域に対して光源光を照射する第Ｎの光源とが設けられていることが好ましい。或いは、有効表示領域が第１の分割表示領域から第Ｎの分割表示領域に分割されている場合には、第１の分割表示領域に対して光源光を照射する一又は複数の第１の光源と、第２の分割表示領域に対して光源光を照射する一又は複数の第２の光源と、・・・、第Ｎの分割表示領域に対して光源光を照射する一又は複数の第Ｎの光源とが設けられていることが好ましい。
【００１１】
加えて、本発明に係る表示装置は、Ｎ個の受光手段と、分類手段と、判定手段と、調整手段とを備えている。
【００１２】
Ｎ個の受光手段は、Ｎ個の分割表示領域に夫々対応するように形成されることが好ましい。つまり、有効表示領域が第１から第Ｎの分割表示領域に分割されている場合には、第１の分割表示領域に対応する第１の受光手段と、第２の分割表示領域に対応する第２の受光手段と、・・・、第Ｎの分割表示領域に対応する第Ｎの受光手段とが形成されていることが好ましい。そして、Ｎ個の受光手段の夫々は、表示装置の外部から表示パネル内に入射してくる光（より具体的には、例えば太陽光等の外光を含む環境光）であって且つ対応する分割表示領域に照射される環境光を少なくとも受光することが好ましい。つまり、表示領域が第１から第Ｎの分割表示領域に分割されている場合には、第１の受光手段は、第１の分割表示領域に照射される環境光を少なくとも受光し、第２の受光手段は、第２の分割表示領域に照射される環境光を少なくとも受光し、・・・、第Ｎの受光手段は、第Ｎの分割表示領域に照射される環境光を少なくとも受光することが好ましい。その結果、Ｎ個の受光手段の夫々からは、対応する分割表示領域に照射される環境光の受光結果（例えば、環境光の輝度等）が少なくとも出力される。
【００１３】
分類手段は、Ｎ個の受光手段の夫々の受光結果が、複数の輝度範囲のうちのいずれの輝度範囲に分類されるかを判定する。その結果、分類手段は、Ｎ個の受光手段の夫々の受光結果を、複数の輝度範囲のうちのいずれかの輝度範囲に分類する。より具体的には、Ｎ個の受光手段の夫々の受光結果は、例えばＮ個の受光手段が受光した環境光の輝度等を示している。このため、分類手段は、Ｎ個の受光手段が受光した受光結果（つまり、環境光の輝度）に応じて、Ｎ個の受光手段の夫々の受光結果を、例えば第１の輝度範囲から第Ｍ（但し、Ｍは２以上の整数）の輝度範囲（つまり、複数の輝度範囲）のうちのいずれかの輝度範囲に分類する。例えば、第１の受光手段の受光結果が複数の輝度範囲のうちの第１の輝度範囲に含まれるのであれば、分類手段は、第１の受光手段の受光結果を第１の輝度範囲に分類する。同様に、例えば、第Ｎの受光手段の受光結果が複数の輝度範囲のうちの第２の輝度範囲に含まれるのであれば、分類手段は、第Ｎの受光手段の受光結果を第２の輝度範囲に分類する。
【００１４】
判定手段は、分類手段による分類結果に基づいて、複数の輝度範囲のうちの一の輝度範囲に分類される受光結果を出力する受光手段の数が、当該一の輝度範囲に対して規定されている調光条件を満たすか否かを判定する。分類手段は、このような判定動作を、複数の輝度範囲の夫々に対して順に行う。より具体的には、分類手段による分類によって、複数の輝度範囲の夫々に分類される受光結果を出力する受光手段の数が、複数の輝度範囲毎に判明する。例えば、複数の輝度範囲のうちの第１の輝度範囲に分類される受光結果を出力する受光手段の数や、複数の輝度範囲のうちの第２の輝度範囲に分類される受光結果を出力する受光手段の数や、・・・、第Ｍの輝度範囲に分類される受光結果を出力する受光手段の数が判明する。このため、判定手段は、例えば、複数の輝度範囲のうちの第１の輝度範囲に分類される受光結果を出力する受光手段の数が、第１の輝度範囲に対して規定されている第１の調光条件を満たすか否か、複数の輝度範囲のうちの第２の輝度範囲に分類される受光結果を出力する受光手段の数が、第２の輝度範囲に対して規定されている第２の調光条件を満たすか否か、・・・、複数の輝度範囲のうちの第Ｍの輝度範囲に分類される受光結果を出力する受光手段の数が、第Ｍの輝度範囲に対して規定されている第Ｍの調光条件を満たすか否かを判定する。
【００１５】
調整手段は、判定手段による判定結果に基づいて、Ｎ個の分割表示領域のうちの少なくとも１つに対応する光源の輝度を調整する。より具体的には、調整手段は、調光条件を満たしていると判定された輝度範囲に分類される出力結果を出力する受光手段に対応する分割表示領域に対して光源光を照射する光源の輝度を調整する。例えば、複数の輝度範囲のうちの第１の輝度範囲に分類される受光結果を出力する受光手段の数が、第１の輝度範囲に対して規定されている第１の調光条件を満たしている判定された場合には、調整手段は、第１の輝度範囲に分類される受光結果を出力する一又は複数の受光手段に対応する分割表示領域に対して光源光を照射する一又は複数の光源の輝度を調整する。
【００１６】
このような構成を備えているため、本発明の液晶装置では、有効表示領域全体の輝度（言い換えれば、有効表示領域に対して光源光を照射する全ての光源の輝度）を一律に調整する構成と比較して、光源の輝度をより好適に調整することができる。例えば、有効表示領域上において局所的な明るさの変化が生じた場合、有効表示領域全体の輝度を一律に調整する構成では、局所的な明るさの変化を考慮することなく全ての光源の輝度を一律に調整してしまうため、逆に視認性が低下してしまう不都合が生ずる。しかるに、本発明によれば、例えば、有効表示領域上において局所的に明るさの変化（つまり、環境光の変化）が生じた場合であれば、局所的な明るさの変化に応じて、分割表示領域の全て若しくは一部に対応する光源の輝度を選択的に調整したり又は分割表示領域の全て若しくは一部に対応する光源の輝度を選択的に調整しないようにしたりすることができる。これにより、視認性の低下を好適に抑制することができるため、相対的には視認性を向上させるように光源の輝度を調整することができる。
【００１７】
また、後に詳述するように、調光条件を適宜変える（例えば、輝度範囲毎に重み付けを変える）ことで、より多種多様な局所的な光の変化に対応させながら、相対的には視認性を向上させるように光源の輝度を調整することができる。
【００１８】
本発明の表示装置の一の態様では、Ｎ個の前記受光手段は、前記Ｎ個の分割表示領域に夫々対応しており、Ｎ個の前記光源は、前記Ｎ個の分割表示領域に夫々対応しており、前記複数の輝度範囲のうち最小輝度範囲及び最大輝度範囲の夫々における調光条件は、前記複数の輝度範囲のうち前記最小輝度範囲及び前記最大輝度範囲以外の他の輝度範囲における調光条件とは異なる。
【００１９】
この態様によれば、後に詳述するように、より多種多様な局所的な光の変化に対応させながら、相対的には視認性を向上させるように光源の輝度を調整することができる。
【００２０】
上述の如く最小輝度範囲及び最大輝度範囲の夫々における調光条件が他の輝度範囲における調光条件とは異なる表示装置の態様では、前記最大輝度範囲における調光条件は、前記最大輝度範囲に分類される受光結果を出力する前記受光手段の数が第１の値となる条件であり、前記他の輝度範囲における調光条件は、前記他の輝度範囲に分類される受光結果を出力する前記受光手段の数が前記第１の値よりも小さい第２の値となる条件であるように構成してもよい。
【００２１】
このように構成すれば、他の輝度範囲に分類される輝度を有する環境光が照射されている分割表示領域に対応する光源の輝度と比較して、最大輝度範囲に分類される輝度を有する環境光が照射されている分割表示領域に対応する光源の輝度は相対的に調整されにくくなっている。つまり、相対的に強い（或いは、最も強い）環境光が照射されている分割表示領域に対応する光源の輝度が調整される条件が厳しくなっている。このため、有効表示領域の一部にのみ局所的に強い環境光が照射されている場合（例えば、後行する車のヘッドライトが表示領域の一部に照射されている場合）には、局所的に強い環境光が照射されている分割表示領域に対応する光源の輝度は調整されにくい一方で、局所的に強い環境光が照射されている分割表示領域以外の他の分割表示領域に対応する光源の輝度は調整されやすい。このため、例えば、局所的に強い環境光（例えば、後行する車のヘッドライト）によるまぶしさを、他の分割表示領域に対応する光源の輝度の調整（例えば、低減）によって低減することができる。或いは、例えば、局所的に強い環境光が照射されている場合であっても、視認性を向上させるように又は視認性を悪化させないように光源の輝度を好適に調整することができる。このように、より多種多様な局所的な光の変化に対応させながら、相対的には視認性を向上させるように光源の輝度を調整することができる。
【００２２】
上述の如く最小輝度範囲及び最大輝度範囲の夫々における調光条件が他の輝度範囲における調光条件とは異なる表示装置の態様では、前記最小輝度範囲における調光条件は、前記最小輝度範囲に分類される受光結果を出力する前記受光手段の数が第３の値となる条件であり、前記他の輝度範囲における調光条件は、前記他の輝度範囲に分類される受光結果を出力する前記受光手段の数が前記第３の値よりも小さい第２の値となる条件であるように構成してもよい。
【００２３】
このように構成すれば、他の輝度範囲に分類される輝度を有する環境光が照射されている分割表示領域に対応する光源の輝度と比較して、最小輝度範囲に分類される輝度を有する環境光が照射されている分割表示領域に対応する光源の輝度は相対的に調整されにくくなっている。つまり、相対的に弱い（或いは、最も弱い）環境光が照射されている分割表示領域に対応する光源の輝度が調整される条件が厳しくなっている。このため、有効表示領域の一部にのみ局所的に弱い環境光が照射されている場合には、局所的に弱い環境光が照射されている分割表示領域に対応する光源の輝度は調整されにくい一方で、局所的に弱い環境光が照射されている分割表示領域以外の他の分割表示領域に対応する光源の輝度は調整されやすい。このため、例えば、局所的に弱い環境光による見にくさを、他の分割表示領域に対応する光源の輝度の調整（例えば、増加）によって低減することができる。或いは、例えば、局所的に弱い環境光が照射されている場合であっても、視認性を向上させるように又は視認性を悪化させないように光源の輝度を好適に調整することができる。このように、より多種多様な局所的な光の変化に対応させながら、相対的には視認性を向上させるように光源の輝度を調整することができる。
【００２４】
上述の如く最小輝度範囲及び最大輝度範囲の夫々における調光条件が他の輝度範囲における調光条件とは異なる表示装置の態様では、前記前記最大輝度範囲における調光条件は、前記最大輝度範囲に分類される受光結果を出力する前記受光手段の数が第１の値となる条件であり、前記最小輝度範囲における調光条件は、前記最小輝度範囲に分類される受光結果を出力する前記受光手段の数が前記第１の値よりも小さい第３の値となる条件であり、前記他の輝度範囲における調光条件は、前記他の輝度範囲に分類される受光結果を出力する前記受光手段の数が前記第３の値よりも小さい第２の値となる条件であるように構成してもよい。
【００２５】
このように構成すれば、上述したように、他の輝度範囲に分類される輝度を有する環境光が照射されている分割表示領域に対応する光源の輝度と比較して、最小輝度範囲又は最大輝度範囲に分類される輝度を有する環境光が照射されている分割表示領域に対応する光源の輝度は相対的に調整されにくくなっている。また、最小輝度範囲に分類される輝度を有する環境光が照射されている分割表示領域に対応する光源の輝度と比較して、最大輝度範囲に分類される輝度を有する環境光が照射されている分割表示領域に対応する光源の輝度は相対的に調整されにくくなっている。つまり、相対的に強い（或いは、最も強い）環境光又は相対的に弱い（或いは、最も弱い）環境光が照射されている分割表示領域に対応する光源の輝度が調整される条件が厳しくなっている。このため、上述したように、より多種多様な局所的な光の変化に対応させながら、相対的には視認性を向上させるように光源の輝度を調整することができる。
【００２６】
上述の如く最小輝度範囲及び最大輝度範囲の夫々における調光条件が他の輝度範囲における調光条件とは異なる表示装置の態様では、前記最大輝度範囲における調光条件は、前記最大輝度範囲に分類される受光結果を出力する前記受光手段の数がＮとなる条件であるように構成してもよい。
【００２７】
このように構成すれば、他の輝度範囲に分類される輝度を有する環境光が照射されている分割表示領域に対応する光源の輝度と比較して、最大輝度範囲に分類される輝度を有する環境光が照射されている分割表示領域に対応する光源の輝度は相対的に調整されにくくなっている。つまり、Ｎ個の分割表示領域の全てに相対的に強い（或いは、最も強い）環境光が照射されている場合でなければ、光源の輝度が調整されなくなっている。このため、表示領域の一部にのみ局所的に強い環境光が照射されている場合には、局所的に強い環境光が照射されている分割表示領域に対応する光源の輝度は調整されない一方で、局所的に強い環境光が照射されている分割表示領域以外の他の分割表示領域に対応する光源の輝度は調整されやすい。このため、局所的に強い環境光に応じて、局所的に強い環境光が照射されている分割表示領域以外の他の分割表示領域に対応する光源の輝度が不必要に強められる不都合はなくなる。このように、より多種多様な局所的な光の変化に対応させながら、相対的には視認性を向上させるように光源の輝度を調整することができる。
【００２８】
上述の如く最小輝度範囲及び最大輝度範囲の夫々における調光条件が他の輝度範囲における調光条件とは異なる表示装置の態様では、前記調整手段は、前記調光条件を満たすと判定された前記最大輝度範囲に分類される前記受光結果を出力する前記受光手段に対応する前記分割表示領域に表示される画像のγカーブを更に調整することを特徴とする請求項２から６のいずれか一項に記載の表示装置。
【００２９】
このように構成すれば、光源の輝度の調整では視認性の向上に限界が生じてしまう程度まで強い光が照射されている場合には、γカーブを更に調整することで、視認性を好適に向上させることができる。
【００３０】
上述の如く最小輝度範囲及び最大輝度範囲の夫々における調光条件が他の輝度範囲における調光条件とは異なる表示装置の態様では、前記調整手段は、前記調光条件を満たすと判定された前記最大輝度範囲に分類される前記受光結果を出力する前記受光手段に対応する前記分割表示領域に表示される画像の表示階調数を更に調整するように構成してもよい。
【００３１】
このように構成すれば、光源の輝度の調整では視認性の向上に限界が生じてしまう程度まで強い光が照射されている場合には、表示階調数を更に調整することで、視認性を好適に向上させることができる。
【００３２】
上述の如く最小輝度範囲及び最大輝度範囲の夫々における調光条件が他の輝度範囲における調光条件とは異なる表示装置の態様では、前記最大輝度範囲は、２００００ｌｘ以上の輝度範囲であるように構成してもよい。
【００３３】
このように構成すれば、２００００ｌｘ以上の輝度範囲に分類される環境光が照射されている分割表示領域に対して光源光を照射する光源を輝度が相対的には調整されにくくなるため、上述した各種効果を好適に享受することができる。
【００３４】
上述の如く最小輝度範囲及び最大輝度範囲の夫々における調光条件が他の輝度範囲における調光条件とは異なる表示装置の態様では、前記最小輝度範囲は、２００ｌｘ未満の輝度範囲であるように構成してもよい。
【００３５】
このように構成すれば、２００ｌｘ未満の輝度範囲に分類される環境光が照射されている分割表示領域に対して光源光を照射する光源を輝度が相対的には調整されにくくなるため、上述した各種効果を好適に享受することができる。
【００３６】
本発明の表示装置の他の態様では、前記表示パネルは、第１基板及び前記第１基板に対向する第２基板を有し、前記受光手段は、前記第１基板の前記第２基板に対向する側に形成され、前記光源は、前記第１基板の前記第２基板に対向しない側から前記光源光を照射する。
【００３７】
この態様によれば、第１基板の側から第２基板の側へ向かって伝搬するように表示パネルを透過した後にユーザに視認される光源光を照射する光源の輝度を好適に調整することができる。
【００３８】
（電子機器）
上記課題を解決するために、本発明の電子機器は、上述した本発明の表示装置（但し、その各種態様を含む）を備える。
【００３９】
本発明の電子機器によれば、上述した本発明の表示装置（或いは、その各種態様）を備えているため、上述した本発明の表示装置が享受する各種効果と同様の効果を享受することができる。つまり、このため、上述した本発明の表示装置が享受する各種効果と同様の効果を享受することができるテレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００４０】
本発明の作用及び他の利得は次に説明する実施の形態から更に明らかにされよう。
【発明を実施するための最良の形態】
【００４１】
以下、本発明を実施するための最良の形態を、図面に基づいて説明する。尚、以下では、本発明に係る表示装置の一例として、液晶装置を用いて説明を進める。
【００４２】
（１）液晶表示装置の基本構成
まず、図１及び図２を参照して、本実施形態に係る液晶表示装置１００の構成等について説明する。
【００４３】
図１は、本実施形態に係る液晶表示装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と規定し且つ紙面横方向（行方向）をＸ方向と規定する。また、図１において、Ｒ（赤）、Ｇ（緑１）、Ｂ（青）に対応する各領域は１つのサブ画素ＳＧを示していると共に、Ｒ、Ｇ、Ｂに対応する１行３列のサブ画素ＳＧは、１つの表示画素ＡＧを示している。尚、サブ画素ＳＧの配列が図１に示す例に限定されることはない。
【００４４】
図２は、液晶表示装置１００における切断線Ａ−Ａ’に沿った表示画素ＡＧの拡大断面図である。図２に示すように、液晶表示装置１００は、照明装置１０と、液晶表示パネル３０と、拡散シート１４と、プリズムシート１５と、反射シート１６より構成される。液晶表示パネル３０は、本発明における「第１基板」の一具体例を構成する素子基板９１と、その素子基板９１に対向して配置され且つ本発明における「第２基板」の一具体例を構成するカラーフィルタ基板９２とが枠状のシール材５を介して貼り合わされ、そのシール材５の内側に液晶が封入されて液晶層４が形成されてなる。液晶層４に用いられる液晶は、例えばＴＮ（Twisted Nematic）型液晶である。液晶表示パネル３０の素子基板９１の外面上には、照明装置１０が備えられている。
【００４５】
本実施形態に係る液晶表示装置１００は、Ｒ、Ｇ、Ｂの３色を用いて構成されるカラー表示用の液晶表示装置であると共に、スイッチング素子としてポリシリコンＴＦＴを用いたアクティブマトリクス駆動方式の液晶表示装置である。
【００４６】
素子基板９１の平面構成について説明する。素子基板９１の内面上には、主として、複数のソース線３２、複数のゲート線３３、複数のポリシリコンＴＦＴ３７、複数の画素電極３４、ドライバＩＣ４０、外部接続用配線３５及びＦＰＣ（Flexible Printed Circuit）４１などが形成若しくは実装されている。
【００４７】
図１に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。
【００４８】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各ソース線３２と各ゲート線３３の第２配線３３ｂの交差に対応する位置にはポリシリコンＴＦＴ３７が設けられており、各ポリシリコンＴＦＴ３７は各ソース線３２、各ゲート線３３及び各画素電極３４等に電気的に接続されている。各ポリシリコンＴＦＴ３７は、ガラスなどの素子基板９１上の各サブ画素ＳＧに対応する位置に設けられている。各画素電極３４は、例えばＩＴＯ（Indium-Tin Oxide）などの透明導電材料により形成されており、素子基板９１上の各サブ画素ＳＧに対応する位置に設けられる。各画素電極３４は、不図示の層間膜に設けられたコンタクトホールを介してソース線３２及び各ポリシリコンＴＦＴ３７と電気的に接続されている。
【００４９】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。
【００５０】
特に、本実施形態では、有効表示領域Ｖは、４つの分割表示領域Ｖ１からＶ４に分割されている。具体的には、矩形の有効表示領域Ｖは、有効表示領域Ｖの右上の領域を占める矩形の分割表示領域Ｖ１と、有効表示領域Ｖの左上の領域を占める矩形の分割表示領域Ｖ２と、有効表示領域Ｖの左下の領域を占める矩形の分割表示領域Ｖ３と、有効表示領域Ｖの右下の領域を占める矩形の分割表示領域Ｖ４とに分割されている。但し、有効表示領域Ｖが物理的に４つの分割表示領域Ｖ１からＶ４に分割されている必要はなく、後述するように４つの検知領域ＳＧａ１からＳＧａ４（又は、照明装置１０−１から１０−４）に対応する４つの分割表示領域Ｖ１からＶ４を区別することができれば足りる趣旨である。従って、上述したソース線３２やゲート線３３等の構成は、１つの有効表示領域Ｖ１が分割されていない液晶装置と同一の構成であってよい。また、図１に示す有効表示領域Ｖの分割の態様は一例であり、図１に示す態様以外の態様で有効表示領域Ｖを分割してもよいことは言うまでもない。
【００５１】
有効表示領域Ｖの外側の領域は、表示に寄与しない額縁領域３８となっている。額縁領域３８には、液晶表示パネル３０の外部から液晶表示パネル３０内部に対して入射してくる環境光（例えば、太陽からの外光等）を検知するための領域として複数の検知領域ＳＧａが設けられている。特に、本実施形態では、額縁領域３８には、分割表示領域Ｖ１に対応する検知領域ＳＧａ１と、分割表示領域Ｖ２に対応する検知領域ＳＧａ２と、分割表示領域Ｖ３に対応する検知領域ＳＧａ３と、分割表示領域Ｖ４に対応する検知領域ＳＧａ４とが設けられている。このとき、検知領域ＳＧａ１は、分割表示領域Ｖ１に照射される環境光が照射されるように、分割表示領域Ｖ１の近傍に配置されることが好ましい。同様に、検知領域ＳＧａ２は、分割表示領域Ｖ２に照射される環境光が照射されるように、分割表示領域Ｖ２の近傍に配置されることが好ましい。同様に、検知領域ＳＧａ３は、分割表示領域Ｖ３に照射される環境光が照射されるように、分割表示領域Ｖ３の近傍に配置されることが好ましい。同様に、検知領域ＳＧａ４は、分割表示領域Ｖ４に照射される環境光が照射されるように、分割表示領域Ｖ４の近傍に配置されることが好ましい。
【００５２】
４つの検知領域ＳＧａ１からＳＧａ４の夫々には、本発明における「受光手段」の一具体例を構成する光センサ６１が形成されている。光センサ６１は、具体的には、ＰＩＮ（p-intrinsic-n Diode）ダイオードなどやＭＯＳトランジスタ等の半導体素子である。尚、以下の説明では、光センサ６１が、ＰＩＮ（p-intrinsic-n Diode）ダイオードである場合の例について説明を進める。
【００５３】
光センサ６１は、不図示の配線を介してドライバＩＣ４０と電気的に接続されており、受光結果（具体的には、受光電流）をドライバＩＣ４０に対して出力する。このため、ドライバＩＣ４０は、後に詳述するように、光センサ６１で発生した受光電流を検知することで、当該光センサ６１に入射した環境光の輝度を検出すると共に、該検出された輝度に基づいて、照明装置１０が備えるＬＥＤ１３の輝度を調整する。
【００５４】
次に、カラーフィルタ基板９２の平面構成について説明する。図２に示すように、カラーフィルタ基板９２は、ガラスなどの基板２上に、ブラックマトリクスＢＭ、Ｒ、Ｇ、Ｂ、Ｇの３色の着色層６Ｒ、６Ｇ、６Ｂ及び共通電極８などを有する。ブラックマトリクスＢＭは、各色のサブ画素ＳＧを区画する位置に形成されている。なお、以下の説明もしくは図面において、Ｒ、Ｇ、Ｂの色を特定することなく構成要素を示す場合には、単に「着色層６」のように記し、Ｒ、Ｇ、Ｂの色を区別して構成要素を示す場合には、例えば「着色層６Ｒ」のように記すこととする。Ｒ、Ｇ、Ｂの各色のサブ画素ＳＧは、Ｒ、Ｇ、Ｂの着色層６Ｒ、６Ｇ、６Ｂの夫々を有している。このＲ、Ｇ、Ｂの着色層６Ｒ、６Ｇ、６Ｂが、夫々の色のカラーフィルタとして機能する。共通電極８は、画素電極と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００５５】
次に、照明装置１０について説明する。本実施形態では、主として分割表示領域Ｖ１に対して光源光を照射する照明装置１０−１と、主として分割表示領域Ｖ２に対して光源光を照射する照明装置１０−２と、主として分割表示領域Ｖ３に対して光源光を照射する照明装置１０−３と、主として分割表示領域Ｖ４に対して光源光を照射する照明装置１０−４とが設けられている。図２では、分割表示領域Ｖ３及び分割表示領域Ｖ４に沿った断面図を示しているため、分割表示領域Ｖ３に対して光源光を照射する照明装置１０−３と、分割表示領域Ｖ４に対して光源光を照射する照明装置１０−４とが図示されている。尚、以下の説明では、照明装置１０−３について説明するが、照明装置１０−１、照明装置１０−２及び照明装置１０−４の夫々も同様の構成を有している。
【００５６】
照明装置１０−３は、導光板１１と光源部１２より構成される。光源部１２は、導光板１１の端面１１ｃに対して光源光を出射する。光源部１２は、後に詳しく述べるが、光源としてＲＧＢの各色のＬＥＤ（Light Emitting Diode）１３を有する。
【００５７】
光源部１２より出射した光源光は、導光板１１の端面（以下、「入光端面」と称す）１１ｃより導光板１１内へ入り、導光板１１の出射面１１ａ、反射面１１ｂで反射を繰り返すことにより方向を変える。光源光は、導光板１１の出射面１１ａと光源光のなす角が臨界角を超えると、導光板１１の出射面１１ａより液晶表示パネル３０へ向けて出射する。光源光は、導光板１１の反射面１１ｂと光Ｌのなす角が臨界角を超えると、導光板１１の反射面１１ｂより出射する。しかし、導光板１１の反射面１１ｂより出射した光は、光を反射する反射シート１６によって反射され、導光板１１内部へ戻される。
【００５８】
導光板１１の出射面１１ａより液晶表示パネル３０（特に、分割表示領域Ｖ３）へ向けて出射した光源光は、拡散シート１４、プリズムシート１５を透過した後、液晶表示パネル３０（特に、分割表示領域Ｖ３）を透過する。拡散シート１４は、光源光を拡散して出射する。プリズムシート１５は、プリズムシート１５ａ、１５ｂより構成される。プリズムシート１５ａ、１５ｂは夫々、断面形状が略三角形となるプリズム形状を全面に有しており、光源光を液晶表示パネル３０に向けて出射する。なお、プリズムシート１５ａ、１５ｂは、プリズム形状のプリズムの稜線が互いに略垂直となる配置とされる。液晶表示装置１００は、光源光が液晶表示パネル３０を透過することによって照明される。これにより、液晶表示装置１００は、文字、数字、図形等の画像を表示することができ、観測者が画像を視認することができる。
【００５９】
液晶表示装置１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じたソース信号を、それぞれ対応するＳ１、Ｓ２、・・・、Ｓｎ−１、Ｓｎ（ｎは自然数）のソース線３２及びポリシリコンＴＦＴ３７を介して供給する。その結果、液晶層４の配向状態が制御され、液晶表示装置１００の表示状態が、非表示状態または中間表示状態に切り替えられることとなる。
【００６０】
さらに、液晶表示パネル３０としては、上述したようなＴＮ液晶からなる液晶層を有する液晶表示パネルには限られず、代わりに、ＶＡ（Vertical Alignment）方式、ＩＰＳ（In Plane Switching）方式、ＦＦＳ（Fringe Field Structure）方式などの液晶表示パネルを用いるとすることもできる。
【００６１】
（２）検知領域の構成
次に、検知領域ＳＧａ１の構成について説明する。図３は、液晶表示装置１００における１つの検知領域ＳＧａ１の拡大断面図である。尚、図３では、４つの検知領域ＳＧａ１、ＳＧａ２、ＳＧａ３及びＳＧａ４のうちの検知領域ＳＧａ１の構成について説明するが、他の検知領域ＳＧａ２、ＳＧａ３及びＳＧａ４も同様の構成を有している。
【００６２】
図３に示すように、素子基板９１の内面上には、不図示のシリコン酸化膜が形成されている。シリコン酸化膜の内面上で、光センサ６１が形成される領域には、純粋なポリシリコン（ｐ−Ｓｉ）の層であるｉ（intrinsic）層６１ｂが形成され、ｉ層６１ｂの両側には、ｉ層６１ｂを挟み込んで、ポリシリコンにボロン（Ｂ）イオンが注入された高不純物濃度のｐ＋層６１ａと、ポリシリコンにリン（Ｐ）イオンが注入された高不純物濃度のＮ＋層６１ｃが形成されている。光センサ６１たるＰＩＮダイオードは、これらｉ層６１ｂとｐ＋層６１ａとＮ＋層６１ｃより構成される。また、Ｎ＋層６１ｃは、不図示の配線を介してドライバＩＣ４０に接続されている。このため、光センサ６１の出力電流は、不図示の配線を介してドライバＩＣ４０へ出力される。
【００６３】
次に、検知領域ＳＧａ１におけるカラーフィルタ基板９２側の構成について述べる。図３に示すように、カラーフィルタ基板９２の内面上（特に、検知領域ＳＧａ１）には、樹脂などでベタ状のブラックマトリクスＢＭが形成されている。但し、液晶表示パネル３０の外部の環境光が光センサ６１に照射されるように、光センサ６１に対向するカラーフィルタ基板９２の領域部分におけるブラックマトリクスＢＭは、液晶表示パネル３０の外部に開けた開口９４（つまり、ブラックマトリクスＢＭが形成されない開口９４）を有している。その結果、光センサ６１には、開口９４を介して液晶表示パネル３０内部に入射してくる環境光を受光する。
【００６４】
他方で、光センサ６１は、環境光を受光する一方で、照明装置１０から出射される光源光を受光しないことが好ましい。このため、光センサ６１の背面側（つまり、照明装置１０側）には、不図示の遮光膜又は反射膜等が形成されていることが好ましい。その結果、光センサ６１の背面側（つまり、照明装置１０側）から液晶表示パネル３０に入射する光源光は、遮光膜又は反射膜によって遮光又は反射されるため、光センサ６１によって受光されることはない。
【００６５】
その結果、光センサ６１は、光センサ６１に入射した環境光に応じた受光電流を出力する。具体的には、光センサ６１は、環境光の輝度が大きくなればなるほど大きい受光電流を出力し、環境光の輝度が小さくなればなるほど小さい受光電流を出力する。
【００６６】
（３）液晶表示装置の動作
続いて、図４から図６を参照して、本実施形態に係る液晶表示装置１００の動作（特に、光センサ６１及びドライバＩＣ４０を用いた、光源光の輝度の調整動作）について説明する。ここに、図４は、本実施形態に係るドライバＩＣ４０の内部の論理的な回路構成を概念的に示すブロック図であり、図５は、光センサ６１が出力する受光電流が示す環境光の輝度がいずれの輝度範囲に分類されるかを示すグラフであり、図６は、光センサ６１が出力する受光電流が示す環境光の輝度の実際の値と、その値を用いた処理の結果得られる値を示す表である。
【００６７】
図４に示すように、ドライバＩＣ４０は、輝度−範囲変換部４０１と、フラグ加算部４０２と、比較部４０３と、ＬＥＤ制御部４０４と、メモリ４０５とを備えている。
【００６８】
まず、輝度−範囲変換部４０１は、光センサ６１−１から６１−４の夫々の出力結果（つまり、環境光の輝度）を分類する。具体的には、図５に示すように、光センサ６１−１の出力結果が複数の輝度範囲のうちの輝度範囲＃１（２００ｌｘ未満の輝度範囲）中の値をとるのであれば、輝度−範囲変換部４０１は、光センサ６１−１の出力結果を輝度範囲＃１に属する出力結果として分類する。或いは、図５に示すように、光センサ６１−１の出力結果が複数の輝度範囲のうちの輝度範囲＃２（２００ｌｘ以上且つ１０００ｌｘ未満の輝度範囲）中の値をとるのであれば、輝度−範囲変換部４０１は、光センサ６１−１の出力結果を輝度範囲＃２に属する出力結果として分類する。或いは、図５に示すように、光センサ６１−１の出力結果が複数の輝度範囲のうちの輝度範囲＃３（１０００ｌｘ以上且つ５０００ｌｘ未満の輝度範囲）中の値をとるのであれば、輝度−範囲変換部４０１は、光センサ６１−１の出力結果を輝度範囲＃３に属する出力結果として分類する。或いは、図５に示すように、光センサ６１−１の出力結果が複数の輝度範囲のうちの輝度範囲＃４（５０００ｌｘ以上且つ２００００ｌｘ未満の輝度範囲）中の値をとるのであれば、輝度−範囲変換部４０１は、光センサ６１−１の出力結果を輝度範囲＃４に属する出力結果として分類する。或いは、図５に示すように、光センサ６１−１の出力結果が複数の輝度範囲のうちの輝度範囲＃５（２００００ｌｘ以上の輝度範囲）中の値をとるのであれば、輝度−範囲変換部４０１は、光センサ６１−１の出力結果を輝度範囲＃５に属する出力結果として分類する。このような動作が、光センサ６１−１、光センサ６１−２、光センサ６１−３及び光センサ６１−４の夫々の出力結果に対して行われる。輝度−範囲変換部４０１の分類結果は、フラグ加算部４０２へと出力される。
【００６９】
尚、輝度範囲＃１は、一例として、夜間時やトンネル内等における環境光の輝度に相当する。また、輝度範囲＃２は、一例として、曇り空や高架下等における環境光の輝度に相当する。また、輝度範囲＃３は、一例として、相対的に明るくない晴天下における環境光の輝度に相当する。また、輝度範囲＃４は、一例として、相対的に明るい晴天下における環境光の輝度に相当する。また、輝度範囲＃５は、一例として、直射日光としての環境光の輝度に相当する。
【００７０】
このような輝度−範囲変換部４０１の動作について、より具体的な数値を用いて説明する。まず、光センサ６１−１からは、８００ｌｘの出力結果が出力され、光センサ６１−２からは、１２８ｌｘの出力結果が出力され、光センサ６１−３からは、１０４ｌｘの出力結果が出力され、光センサ６１−４からは、７０４ｌｘの出力結果が出力されるとする。この場合、図６（ａ）に示すように、輝度−範囲変換部４０１は、光センサ６１−１の出力結果を、輝度範囲＃２に分類し、光センサ６１−２の出力結果を、輝度範囲＃１に分類し、光センサ６１−３の出力結果を、輝度範囲＃１に分類し、光センサ６１−４の出力結果を、輝度範囲＃２に分類する。
【００７１】
続いて、フラグ加算部４０２は、光センサ６１−１から６１−４の夫々の出力結果に対応する輝度範囲に対してフラグを立てる。具体的には、フラグ加算部４０１は、光センサ６１−１の出力結果が属すると分類された輝度範囲に対してフラグ「１」を立てると共に、光センサ６１−１の出力結果が属すると分類された輝度範囲以外の輝度範囲に対してフラグ「０」を立てる。フラグ加算部４０１は、この動作を光センサ６１−１から光センサ６１−４の夫々に対して順に行う。
【００７２】
その後、フラグ加算部４０２は、輝度範囲毎に、フラグを加算する。つまり、フラグ加算部４０２は、輝度範囲＃１に対応するフラグを加算し、輝度範囲＃２に対応するフラグを加算し、輝度範囲＃３に対応するフラグを加算し、輝度範囲＃４に対応するフラグを加算し、輝度範囲＃５に対応するフラグを加算する。フラグ加算部４０２の加算結果（つまり、フラグ合計値）は、比較部４０３へと出力される。
【００７３】
このようなフラグ加算部４０２の動作について、図６（ａ）に示す具体的な数値を用いて説明する。まず、光センサ６１−１の出力結果が輝度範囲＃２に分類されているため、図６（ｂ）に示すように、フラグ加算部４０２は、光センサ６１−１の出力結果が分類された輝度範囲＃２に対してフラグ「１」を立てると共に、光センサ６１−１の出力結果が分類された輝度範囲以外の輝度範囲＃１、輝度範囲＃３、輝度範囲＃４及び輝度範囲＃５の夫々に対してフラグ「０」を立てる。同様に、光センサ６１−２の出力結果が輝度範囲＃１に分類されているため、図６（ｂ）に示すように、フラグ加算部４０２は、光センサ６１−２の出力結果が分類された輝度範囲＃１に対してフラグ「１」を立てると共に、光センサ６１−２の出力結果が分類された輝度範囲以外の輝度範囲＃２、輝度範囲＃３、輝度範囲＃４及び輝度範囲＃５の夫々に対してフラグ「０」を立てる。同様に、光センサ６１−３の出力結果が輝度範囲＃１に分類されているため、図６（ｂ）に示すように、フラグ加算部４０２は、光センサ６１−３の出力結果が分類された輝度範囲＃１に対してフラグ「１」を立てると共に、光センサ６１−３の出力結果が分類された輝度範囲以外の輝度範囲＃２、輝度範囲＃３、輝度範囲＃４及び輝度範囲＃５の夫々に対してフラグ「０」を立てる。同様に、光センサ６１−４の出力結果が輝度範囲＃２に分類されているため、図６（ｂ）に示すように、フラグ加算部４０２は、光センサ６１−４の出力結果が分類された輝度範囲＃２に対してフラグ「１」を立てると共に、光センサ６１−４の出力結果が分類された輝度範囲以外の輝度範囲＃１、輝度範囲＃３、輝度範囲＃４及び輝度範囲＃５の夫々に対してフラグ「０」を立てる。その結果、図６（ｂ）に示すフラグが得られる。
【００７４】
その後、フラグ加算部４０２は、輝度範囲＃１に立てられた全てのフラグを加算し、その結果、フラグ合計値として「２」が得られる。同様に、フラグ加算部４０２は、輝度範囲＃２に立てられた全てのフラグを加算し、その結果、フラグ合計値として「２」が得られる。同様に、フラグ加算部４０２は、輝度範囲＃３に立てられた全てのフラグを加算し、その結果、フラグ合計値として「０」が得られる。同様に、フラグ加算部４０２は、輝度範囲＃４に立てられた全てのフラグを加算し、その結果、フラグ合計値として「０」が得られる。同様に、フラグ加算部４０２は、輝度範囲＃５に立てられた全てのフラグを加算し、その結果、フラグ合計値として「０」が得られる。これにより、図６（ｂ）に示すフラグ合計値が輝度範囲毎に得られる。
【００７５】
続いて、比較部４０３は、輝度範囲毎に、フラグ合計値と調光条件とを比較する。ここで、調光条件としては、分割表示領域Ｖ１からＶ４の数「Ｎ」と輝度範囲毎に規定されていると共にメモリ４０５中に格納されている所定の係数（調光条件係数）「Ｃ（Ｃ１、Ｃ２、Ｃ３、Ｃ４及びＣ５）」との乗算値が用いられる。従って、比較部４０３は、輝度範囲＃１のフラグ合計値が、Ｎ×Ｃ１以上であるか否かを判定し、輝度範囲＃２のフラグ合計値が、Ｎ×Ｃ２以上であるか否かを判定し、輝度範囲＃３のフラグ合計値が、Ｎ×Ｃ３以上であるか否かを判定し、輝度範囲＃４のフラグ合計値が、Ｎ×Ｃ４以上であるか否かを判定し、輝度範囲＃５のフラグ合計値が、Ｎ×Ｃ５以上であるか否かを判定する。比較部４０３における比較動作（判定動作）の結果は、ＬＥＤ制御部４０４へ出力される。
【００７６】
尚、輝度範囲＃１における係数Ｃ１は、輝度範囲＃２における係数Ｃ２、輝度範囲＃３における係数Ｃ３及び輝度範囲＃４における係数Ｃ４よりも大きいことが好ましい。また、輝度範囲＃５における係数Ｃ５は、輝度範囲＃２における係数Ｃ２、輝度範囲＃３における係数Ｃ３及び輝度範囲＃４における係数Ｃ４よりも大きいことが好ましい。また、輝度範囲＃５における係数Ｃ５は、輝度範囲＃１における係数Ｃ１よりも大きいことが好ましい。特に、輝度範囲＃５における係数Ｃ５は、Ｎ×Ｃ５＝Ｎを満たす数値（つまり、「１」）であることが好ましい。一例として、Ｃ１＝０．７５、Ｃ２＝Ｃ３＝Ｃ４＝０．５、Ｃ５＝１が提示される。但し、係数Ｃがこの例に限定されることはなく、任意の数値を有していてもよい。また、係数Ｃは固定値であってもよいし、或いは動作の都度変更可能な可変値であってもよい。
【００７７】
このような比較部４０３の動作について、図６（ａ）に示す具体的な数値を用いて説明する。ここで、Ｃ１＝０．７５、Ｃ２＝Ｃ３＝Ｃ４＝０．５、Ｃ５＝１であるとする。まず、比較部４０３により、輝度範囲＃１におけるフラグ合計値「２」は、Ｎ×Ｃ１＝４×０．７５＝３よりも小さいと判定される。その結果、輝度範囲＃１におけるフラグ合計値「２」は、調光条件を満たしていないと判定される。同様に、比較部４０３により、輝度範囲＃２におけるフラグ合計値「２」は、Ｎ×Ｃ２＝４×０．５＝２以上であると判定される。その結果、輝度範囲＃２におけるフラグ合計値「２」は、調光条件を満たしていると判定される。同様に、比較部４０３により、輝度範囲＃３におけるフラグ合計値「０」は、Ｎ×Ｃ３＝４×０．５＝２よりも小さいと判定される。その結果、輝度範囲＃３におけるフラグ合計値「０」は、調光条件を満たしていないと判定される。同様に、比較部４０３により、輝度範囲＃４におけるフラグ合計値「０」は、Ｎ×Ｃ４＝４×０．５＝２よりも小さいと判定される。その結果、輝度範囲＃４におけるフラグ合計値「０」は、調光条件を満たしていないと判定される。同様に、比較部４０３により、輝度範囲＃５におけるフラグ合計値「０」は、Ｎ×Ｃ５＝４×１＝４よりも小さいと判定される。その結果、輝度範囲＃５におけるフラグ合計値「０」は、調光条件を満たしていないと判定される。
【００７８】
続いて、ＬＥＤ制御部４０４は、比較部４０３における比較動作（判定動作）の結果に基づいて、調光条件を満たしていると判定された輝度範囲においてフラグ「１」が立っている光センサに対応する分割表示領域に対して光源光を照射する照明装置が備えるＬＥＤ１３の輝度を調整する。具体的には、輝度範囲＃１におけるフラグ合計値が調光条件を満たしていると判定された場合には、ＬＥＤ制御部４０４は、輝度範囲＃１においてフラグ「１」が立っている光センサに対応する分割表示領域に対して光源光を照射する照明装置が備えるＬＥＤ１３の輝度が「３０％」となるように調整する。また、輝度範囲＃２におけるフラグ合計値が調光条件を満たしていると判定された場合には、ＬＥＤ制御部４０４は、輝度範囲＃２においてフラグ「１」が立っている光センサに対応する分割表示領域に対して光源光を照射する照明装置が備えるＬＥＤ１３の輝度が「６０％」となるように調整する。また、輝度範囲＃３におけるフラグ合計値が調光条件を満たしていると判定された場合には、ＬＥＤ制御部４０４は、輝度範囲＃３においてフラグ「１」が立っている光センサに対応する分割表示領域に対して光源光を照射する照明装置が備えるＬＥＤ１３の輝度が「８０％」となるように調整する。また、輝度範囲＃４におけるフラグ合計値が調光条件を満たしていると判定された場合には、ＬＥＤ制御部４０４は、輝度範囲＃４においてフラグ「１」が立っている光センサに対応する分割表示領域に対して光源光を照射する照明装置が備えるＬＥＤ１３の輝度が「１００％」となるように調整する。また、輝度範囲＃５におけるフラグ合計値が調光条件を満たしていると判定された場合には、ＬＥＤ制御部４０４は、輝度範囲＃５においてフラグ「１」が立っている光センサに対応する分割表示領域に対して光源光を照射する照明装置が備えるＬＥＤ１３の輝度が「１００％」となるように調整する。加えて、輝度範囲＃５におけるフラグ合計値が調光条件を満たしていると判定された場合には、ＬＥＤ制御部４０４は、表示画像のγカーブ（γ値）が「１．０」となるように調整する。尚、通常の表示画像のγカーブ（γ値）は、例えば「２．２」となっているものとする。つまり、輝度範囲＃５におけるフラグ合計値が調光条件を満たしていると判定された場合には、ＬＥＤ制御部４０４は、表示画像のγカーブ（γ値）が減少するように調整する。或いは、輝度範囲＃５におけるフラグ合計値が調光条件を満たしていると判定された場合には、ＬＥＤ制御部４０４は、表示画像のγカーブを調整することに加えて又は代えて、表示画像の表示階調数を削減する（例えば、白黒表示となるように）調整する。
【００７９】
尚、通常の表示画像のγカーブ（γ値）は、「２．２」に限定されることはなく、他の値を有していてもよい。同様に、ＬＥＤ制御回路４０４は、表示画像のγカーブが「１．０」以外の他の値となるように調整してもよいが、通常の表示画像のγカーブよりも小さい値となるように調整することが好ましい。
【００８０】
このようなＬＥＤ制御部４０４の動作について、図６（ａ）に示す具体的な数値を用いて説明する。まず、輝度範囲＃１におけるフラグ合計値「２」が調光条件を満たしていないため、ＬＥＤ制御回路４０４は、輝度範囲＃１においてフラグ「１」が立っている光センサ６１−２及び６１−３に対応する分割表示領域Ｖ２及びＶ３に対して光源光を照射する照明装置１０−２及び１０−３の夫々が備えるＬＥＤ１３の輝度を調整しない。また、輝度範囲＃２におけるフラグ合計値「２」が調光条件を満たしていないため、ＬＥＤ制御回路４０４は、輝度範囲＃２においてフラグ「１」が立っている光センサ６１−１及び６１−４に対応する分割表示領域Ｖ１及びＶ４に対して光源光を照射する照明装置１０−１及び１０−２の夫々が備えるＬＥＤ１３の輝度が「６０％」となるように調整する。
【００８１】
これにより、本実施形態に係る液晶装置１００では、有効表示領域Ｖ全体の輝度（言い換えれば、有効表示領域Ｖに対して光源光を照射する全てのＬＥＤ１３の輝度）を一律に調整する構成と比較して、ＬＥＤ１３の輝度をより好適に調整することができる。
【００８２】
例えば、図６（ａ）に示す具体的な数値は、有効表示領域Ｖの右側半分（つまり、分割表示領域Ｖ１及び分割表示領域Ｖ４）にのみ局所的に環境光が照射されている場合に検出され得る。この場合には、所的に環境光が照射されていることによって視認性が低下している有効表示領域Ｖの右側半分の輝度のみが、視認性を向上させるために選択的に調整される。その一方で、局所的な環境光が照射されていない（ゆえに、視認性がそれほど悪化していない）有効表示領域Ｖ３の左側半分（つまり、分割表示領域Ｖ２及び分割表示領域Ｖ３）の輝度を不必要に調整する必要がないため、輝度を不必要に調整することで逆に視認性が悪化してしまう不都合を抑制することができる。このように、本実施形態によれば、有効表示領域Ｖ中において局所的に明るさの変化（つまり、環境光の変化）が生じた場合であれば、局所的な明るさの変化に応じて、分割表示領域Ｖ１からＶ４の全て若しくは一部に対応する照明装置１０−１から１０−４が備えるＬＥＤ１３の輝度を選択的に調整したり又は分割表示領域Ｖ１からＶ４の全て若しくは一部に対応する照明装置１０−１から１０−４が備えるＬＥＤ１３の輝度を選択的に調整しないようにしたりすることができる。これにより、視認性の低下を好適に抑制することができるため、相対的には視認性を向上させるように照明装置１０−１から１０−４の夫々が備えるＬＥＤ１３の輝度を好適に調整することができる。
【００８３】
加えて、本実施形態では、最小の輝度範囲である輝度範囲＃１における係数Ｃ１を、他の係数Ｃ２からＣ４よりも大きく設定している。このため、例えば液晶装置１００がカーナビゲーションに搭載されている例を想定すれば、例えば夜間に後行する車のヘッドライトがただ１つの分割表示領域のみに照射されている場合には、ヘッドライトが照射されていない他の３つの分割表示領域における輝度が低減されるように調整されるため、ヘッドライトによるまぶしさを、他の３つの分割表示領域における輝度の低減によって緩和することができる。
【００８４】
加えて、本実施形態では、最大の輝度範囲である輝度範囲＃５における係数Ｃ５を、他の係数Ｃ１からＣ４よりも大きく設定している。特に、最大の輝度範囲である輝度範囲＃５における係数Ｃ５を「１」に設定している。このため、全ての分割表示領域Ｖ１からＶ４に対して輝度範囲＃５に属する輝度の環境光が照射されている場合でなければ、γカーブや表示階調数は調整されない。従って、有効表示領域Ｖ全体での調整が必要になってくるγカーブや表示階調数の調整に好適に対応させることができる。
【００８５】
また、輝度範囲＃５における輝度の環境光が照射されている場合には、ＬＥＤ１３の輝度の調整のみでは視認性の向上に限界があるとも想定される。このような場合であっても、γカーブや表示階調数をも調整することができるため、視認性を好適に向上させる又は視認性の悪化を好適に抑制することができる。
【００８６】
以上まとめれば、本実施形態に係る液晶装置１００によれば、周囲の環境や液晶装置１００の使用場面に応じて（言い換えれば、より多種多様な環境光の変化に応じて）、相対的には視認性を向上させるように又は視認性の悪化を抑制するように照明装置１０−１から１０−４の夫々が備えるＬＥＤ１３の輝度を個別に又は選択的に調整することができる。
【００８７】
尚、上述した係数Ｃ１からＣ５は一例であって、液晶装置１００の周囲環境や使用場面等に応じて適宜変更してもよい。これにより、周囲の環境や液晶装置１００の使用場面に応じて（言い換えれば、より多種多様な環境光の変化に応じて）、相対的には視認性をより一層向上させるように又は視認性の悪化をより一層抑制するように照明装置１０−１から１０−４の夫々が備えるＬＥＤ１３の輝度を個別に又は選択的に調整することができる。
【００８８】
（４）電子機器
続いて、図７及び図８を参照しながら、上述の液晶装置１００を具備してなる電子機器の例を説明する。
【００８９】
図７は、上述した液晶装置１００が適用されたモバイル型のパーソナルコンピュータの斜視図である。図８において、コンピュータ１２００は、キーボード１２０２を備えた本体部１２０４と、上述した液晶装置１００を含んでなる液晶表示ユニット１２０６とから構成されている。
【００９０】
次に、上述した液晶装置１００を携帯電話に適用した例について説明する。図８は、電子機器の一例である携帯電話の斜視図である。図８において、携帯電話１３００は、複数の操作ボタン１３０２とともに、半透過反射型の表示形式を採用し、且つ上述した液晶装置１００と同様の構成を有する液晶装置１００５を備えている。
【００９１】
これらの電子機器においても、上述した液晶装置１００を含んでいるため、上述した各種効果を好適に享受することができる。
【００９２】
尚、図７及び図８を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の液晶装置を備える装置等が挙げられる。そして、これらの各種電子機器に対して、上述した液晶装置１００を適用可能なのは言うまでもない。
【００９３】
本発明は、上述した実施例に限られるものではなく、請求の範囲及び明細書全体から読み取れる発明の要旨或いは思想に反しない範囲で適宜変更可能であり、そのような変更を伴なう表示装置及び電子機器もまた本発明の技術的範囲に含まれるものである。
【図面の簡単な説明】
【００９４】
【図１】本実施形態に係る液晶表示装置の概略構成を模式的に示す平面図である。
【図２】液晶表示装置における切断線Ａ−Ａ’に沿った１つの表示画素の拡大断面図である。
【図３】液晶表示装置における１つの検知領域の拡大断面図である。
【図４】本実施形態に係るドライバＩＣの内部の論理的な回路構成を概念的に示すブロック図である。
【図５】光センサが出力する受光電流が示す環境光の輝度がいずれの輝度範囲に分類されるかを示すグラフである。
【図６】光センサが出力する受光電流が示す環境光の輝度の実際の値と、その値を用いた処理の結果得られる値を示す表である。
【図７】液晶装置が適用されたモバイル型のパーソナルコンピュータの斜視図である。
【図８】液晶装置が適用された携帯電話の斜視図である。
【符号の説明】
【００９５】
１０…照明装置、１３…ＬＥＤ、３０…表示パネル、４０…ドライバＩＣ、６１…光センサ、９１…素子基板、９２…カラーフィルタ基板、１００…液晶装置、４０１…輝度−範囲変換部、４０２…フラグ加算部、４０３…比較部、４０４…ＬＥＤ制御部、ＢＭ…ブラックマトリクス、ＳＧａ…検知領域
【図１】
2010101991.tif 000003
【図２】
2010101991.tif 000004
【図３】
2010101991.tif 000005
【図４】
2010101991.tif 000006
【図５】
2010101991.tif 000007
【図６】
2010101991.tif 000008
【図７】
2010101991.tif 000009
【図８】
2010101991.tif 000010